(57)【要約】【課題】  鋼板以外の他の素材に着目し、強度性に優れ、耐久力があり、しかも非常に軽量でありながら、固定体に磁着させることができるような鞄の蓋止め具用止め板を提供する。【解決手段】  合成樹脂または軽金属からなる板体１に、鞄本体Ｂに固定された固定体２に取り付けた摘体３と係合自在とした開口１ａを設け、この開口１ａの周囲の少なくとも一部に磁着体４を取り付けたものとし、この磁着体４を前記固定体２の内部に設けた永久磁石Ｍの磁力によって、その固定体２に磁着自在としたものとしている。【選択図】    図２
2006230589.tif 000002
【特許請求の範囲】
【請求項１】
合成樹脂または軽金属からなる板体（１）に、鞄本体（Ｂ）に固定された固定体（２）に取り付けた摘体（３）と係合自在とした開口（１ａ）を設け、この開口（１ａ）の周囲の少なくとも一部に磁着体（４）を取り付けたものとし、この磁着体（４）を前記固定体（２）の内部に設けた永久磁石（Ｍ）の磁力によって、その固定体（２）に磁着自在としたことを特徴とする鞄の蓋止め具用止め板。
【請求項２】
前記板体（１）の周囲を巻締め加工したものとし、この板体（１）の開口（１ａ）を形取った磁着体（４）としての枠板（４ａ）を、その開口（１ａ）の周囲に位置させて、前記枠板（４ａ）の両側端部を、前記板体（１）の周囲の巻締め加工した個所に入り込ませたものとしたことを特徴とする請求項１記載の鞄の蓋止め具用止め板。
【請求項３】
前記板体（１）の周囲を巻締め加工したものとし、この板体（１）の開口（１ａ）の周囲に磁着体（４）としての細長四角状の当板（４ｂ）を位置させて、この当板（４ｂ）の両側端部を、前記板体（１）の周囲の巻締め加工した個所に入り込ませたものとしたことを特徴とする請求項１記載の鞄の蓋止め具用止め板。
【請求項４】
前記板体（１）の周囲を巻締め加工したものとし、この板体（１）の開口（１ａ）の周囲に磁着体（４）としての細長四角状の当板（４ｂ）を熔接したものとしたことを特徴とする請求項１記載の鞄の蓋止め具用止め板。
【請求項５】
前記板体（１）の周囲を巻締め加工したものとし、この板体（１）の開口（１ａ）の周囲にビス孔（１ｂ）を設け、このビス孔（１ｂ）に磁着体（４）としてのビス（４ｃ）を打ち込んだものとしたことを特徴とする請求項１記載の鞄の蓋止め具用止め板。
【発明の詳細な説明】
【技術分野】
【０００１】
この発明は、ランドセル、学生鞄などの各種の鞄における蓋止め具に用いられる止め板に関するものである。
【背景技術】
【０００２】
従来、鞄の蓋止め具としては、例えばランドセルの蓋止め具として、図１２、１３に示したようなものが存在する。この蓋止め具は、ランドセルの鞄本体Ｂの底部に固定された固定体１２の中央部に摘体１３を取り付け、この摘体１３をランドセル蓋Ｃの延長ベルト１６の端部に取り付けられた板体１１の開口１１ａに係合させた構成としている。そして、前記固定体１２の内部には、板体１１をこの固定体１２に磁着させるための永久磁石Ｍを設けたものとしている。前記板体１１は、永久磁石Ｍに磁着させるため、鋼板製としている（特許文献１）。
【特許文献１】実開昭６３−５８１７号公報（第１頁、図１、２）
【発明の開示】
【発明が解決しようとする課題】
【０００３】
上記従来の鞄の蓋止め具に用いられる止め板は、鋼板製としているため、強度性に優れ、耐久力があるので、傷が付きにくく、長年の使用に耐えることができる。
【０００４】
しかしながら、この鋼板は比重が７〜８程度であり、鞄の蓋止め具の止め板の素材として用いるには重すぎ、あまり好ましくはなかったが、固定体１２に磁着させるための素材として他に適当なものがなかったので、仕方なく用いられていた。
【０００５】
そこで、この発明は、鋼板以外の他の素材に着目し、強度性に優れ、耐久力があり、しかも非常に軽量でありながら、前記固定体にも磁着させることができるような鞄の蓋止め具用止め板を提供することを目的としてなされたものである。
【課題を解決するための手段】
【０００６】
そのため、この発明の鞄の蓋止め具用止め板は、合成樹脂または軽金属からなる板体１に、鞄本体Ｂに固定された固定体２に取り付けた摘体３と係合自在とした開口１ａを設け、この開口１ａの周囲の少なくとも一部に磁着体４を取り付けたものとし、この磁着体４を前記固定体２の内部に設けた永久磁石Ｍの磁力によって、その固定体２に磁着自在としたものとしている。
【０００７】
そして、この発明の鞄の蓋止め具用止め板は、前記板体１の周囲を巻締め加工したものとし、この板体１の開口１ａを形取った磁着体４としての枠板４ａを、その開口１ａの周囲に位置させて、前記枠板４ａの両側端部を、前記板体１の周囲の巻締め加工した個所に入り込ませたものとしている。
【０００８】
さらに、この発明の止め板は、前記板体１の周囲を巻締め加工したものとし、この板体１の開口１ａの周囲に磁着体４としての細長四角状の当板４ｂを位置させて、この当板４ｂの両側端部を、前記板体１の周囲の巻締め加工した個所に入り込ませたものとすることができる。
【０００９】
また、この発明の鞄の蓋止め具用止め板は、前記板体１の周囲を巻締め加工したものとし、この板体１の開口１ａの周囲に磁着体４としての細長四角状の当板４ｂを溶接したものとすることができる。
【００１０】
さらに、この発明の鞄の蓋止め具用止め板は、前記板体１の周囲を巻締め加工したものとし、この板体１の開口１ａの周囲にビス孔１ｂを設け、このビス孔１ｂに磁着体４としてのビス４ｃを打ち込んだものとすることもできる。
【発明の効果】
【００１１】
この発明の鞄の蓋止め具用止め板は、以上に述べたように構成されているので、強度性に優れ、耐久性があるため、傷が付きにくく、長年の使用に耐えることができ、しかも非常に軽量でありながら、鞄の固定体にも磁着させることができるものとなった。
【発明を実施するための最良の形態】
【００１２】
以下、この発明の鞄の蓋止め具用止め板の実施の形態を、図面に基づいて詳細に説明する。
【００１３】
この発明の鞄の蓋止め具用止め板は、合成樹脂または軽金属からなる板体１に、鞄本体Ｂに固定された固定体２に取り付けた摘体３と係合自在とした開口１ａを設け、この開口１ａの周囲の少なくとも一部に磁着体４を取り付けたものとし、この磁着体４を前記固定体２の内部に設けた永久磁石Ｍの磁力によって、その固定体２に磁着自在としたものとしている。
【００１４】
すなわち、この発明の止め板をランドセルの蓋止め具に実施した場合には、図１、２に示したように、前記板体１に、ランドセルの鞄本体Ｂの底部に固定された長四角状の固定体２の中央部に取り付けた摘体３と係合自在とした開口１ａを設け、この開口１ａの周囲の少なくとも一部に磁着体４を取り付けたものとしている。このようにした止め板は、止め具５を用いてランドセル蓋Ｃの延長ベルト６の端部に取り付けたものとしている。そして、前記固定体２の内部には、磁着体４をこの固定体２に磁着させるための永久磁石Ｍを設けたものとしている。
【００１５】
前記板体１の開口１ａは長四角状に形成され、前記摘体３はこの長四角状の開口１ａより一回り小さい長四角状に形成した摘部３ａを有したものとしている。そして、この摘部３ａを板体１の開口１ａに挿入したとき、磁着体４が固定体２に磁着し、前記摘部３ａを９０度捻ることによって、前記板体１が摘体３に係合した状態となり、この板体１が固定体２から外れないようにして固定される。
【００１６】
この発明の止め板は、図３〜５に示したように、前記板体１の周囲を巻締め加工したものとし、この板体１の開口１ａを形取った磁着体４としての枠板４ａを、その開口１ａの周囲に位置させて、前記枠板４ａの両側端部を、前記板体１の周囲の巻締め加工した個所に入り込ませたものとすることができる。
【００１７】
さらに、この発明の止め板は、図６〜８に示したように、前記板体１の周囲を巻締め加工したものとし、この板体１の開口１ａの周囲に磁着体４としての細長四角状の当板４ｂを複数枚位置させて、これら当板４ｂの両側端部を、前記板体１の周囲の巻締め加工した個所に入り込ませたものとすることができる。また、この発明の止め板は、図示していないが、前記板体１の周囲を巻締め加工したものとし、この板体１の開口１ａの周囲に磁着体４としての細長四角状の当板４ｂを複数枚溶接したものとしてもよい。なお、前記当板４ｂは、図示したものでは複数枚としたが、一枚としてもよい。
【００１８】
さらに、この発明の止め板は、図９〜１１に示したように、前記板体１の周囲を巻締め加工したものとし、この板体１の開口１ａの周囲に複数個のビス孔１ｂを設け、これらビス孔１ｂに磁着体４としてのビス４ｃを打ち込んだものとすることができる。なお、前記ビス孔４ｃは、図示したものでは複数個としたが、一個として、そのビス孔４ｃにビス４ｃを打ち込んだものとしてもよい。
【００１９】
前記板体１の周囲を巻締め加工するのは、この板体１の強度を補強するためであり、さらに図３〜５または図６〜８に示した実施形態において、枠板４ａまたは当板４ｂを鋼板などの強度性に優れた素材とした場合には、その鋼板によって板体１の強度が補強されるものとなる。なお、前記板体１に設けた開口１ａは、この発明の止め板をランドセルの蓋止め具に実施した場合は、図示したように二個設けたものとしたり、または三個設けたものとすることができるが、一個のみ設けたものとしてもよい。
【００２０】
この発明で合成樹脂とは、金属粉等を配合するなどして比重を４以上にした特殊な合成樹脂は除かれ、比重が１〜２程度の一般的な合成樹脂をいうが、ＡＢＳ樹脂、ナイロン、ジュラコン樹脂、フェノール樹脂、メラミン樹脂、ＡＳ樹脂、ＡＡＳ樹脂、ＡＣＳ樹脂、ポリカーボネートなどの強度性や耐候性に優れた樹脂を使用するのが好ましいのはいうまでもない。
【００２１】
また、前記軽金属とは、一般的に比重が４〜５以下の金属と定義されることもあるが、この発明でいう軽金属とは、アルミニウム合金、マグネシウム合金などの比重が２〜３程度、またはそれ以下の金属とするものとする。
【００２２】
前記磁着体４は、鋼板、鉄板、ニッケル板などの磁石に磁着するものであれば限定されないが、鋼板などの強度性に優れた素材とするのが好ましい。
【００２３】
この発明の鞄の蓋止め具用止め板は、以上に述べたように構成されているので、ランドセルの蓋止め具に実施した場合には、次のようにして使用される。
【００２４】
先ず、ランドセル蓋Ｃを閉じ、延長ベルト６の端部に取り付けたこの発明の止め板を、ランドセルの鞄本体Ｂの底部に固定された固定体２に近づけ、この固定体２に取り付けた摘体３を、板体１の開口１ａに挿入する。
【００２５】
すると、前記固定体２の内部に設けた永久磁石Ｍの磁力によって、板体１に取り付けた磁着体４が固定体２に磁着し、板体１がこの固定体２に引っ付いた状態となる。
【００２６】
そこで、前記摘体３を縦方向に捻ることによって、この摘体３に板体１が係合され、板体１が固定体２から外れないようにして固定される。
【００２７】
このようにして固定された板体１は、周囲の巻き締め加工によったり、枠板４ａまたは当板４ｂによって、強度が補強されているので、強度性に優れ、耐久力のあるものとなり、傷が付きにくく、長年の使用に耐えることができる。また、前記板体１は、枠板４ａ、当板４ｂまたはビス４ｃ以外の部分が、比重が１〜２程度の合成樹脂や、比重が２〜３程度、またはそれ以下の軽金属からなるので、非常に軽量なものとなる。
【図面の簡単な説明】
【００２８】
【図１】この発明の鞄の蓋止め具用止め板を使用したランドセルの底面図である。
【図２】図１中のＡ−Ａ線による蓋止め具の断面図である。
【図３】この発明の鞄の蓋止め具用止め板の一実施形態を示す裏面図である。
【図４】図３に示すこの発明の鞄の蓋止め具用止め板の分解斜視図である。
【図５】図３に示すこの発明の鞄の蓋止め具用止め板の断面図である。
【図６】この発明の鞄の蓋止め具用止め板の他の実施形態を示す裏面図である。
【図７】図６に示すこの発明の鞄の蓋止め具用止め板の分解斜視図である。
【図８】図６に示すこの発明の鞄の蓋止め具用止め板の断面図である。
【図９】この発明の鞄の蓋止め具用止め板のさらに他の実施形態を示す裏面図である。
【図１０】図９に示すこの発明の鞄の蓋止め具用止め板の分解斜視図である。
【図１１】図９に示すこの発明の鞄の蓋止め具用止め板の断面図である。
【図１２】従来の鞄の蓋止め具用止め板を使用したランドセルの底面図である。
【図１３】図１２中のＢ−Ｂ線による蓋止め具の断面図である。
【符号の説明】
【００２９】
１  板体
１ａ  開口
１ｂ  ビス孔
２  固定体
３  摘体
４  磁着体
４ａ  枠板
４ｂ  当板
４ｃ  ビス
Ｂ  鞄本体
Ｍ  永久磁石
【図１】
2006230589.tif 000003
【図２】
2006230589.tif 000004
【図３】
2006230589.tif 000005
【図４】
2006230589.tif 000006
【図５】
2006230589.tif 000007
【図６】
2006230589.tif 000008
【図７】
2006230589.tif 000009
【図８】
2006230589.tif 000010
【図９】
2006230589.tif 000011
【図１０】
2006230589.tif 000012
【図１１】
2006230589.tif 000013
【図１２】
2006230589.tif 000014
【図１３】
2006230589.tif 000015